(57)【要約】【課題】運転免許証更新手続きに必要とされる労力および時間を軽減し、利用者の利便性を向上させることができる運転免許更新システムを提供する。【解決手段】認証サーバ２０は、インターネット１００を介してユーザ端末１０および住民情報システム５０に接続される。また、警察のイントラネット２００を介して免許情報サーバ３０および免許端末４０に接続される。認証サーバ２０は、ユーザ端末１０からの申請を受け取り、住民情報システム５０にアクセスして認証を行う。また、免許情報サーバ３０との間で内容の一致を確認し、変更がある場合には、住民情報システム５０の変更後の住民票情報を用いて免許証を発行する。【選択図】　　　図１
2004013761.tif 000002
【特許請求の範囲】
【請求項１】
ユーザが使用するユーザ端末と、
運転免許更新処理を制御する認証サーバと、
住民の住所，氏名，本籍，生年月日を含む住民票情報を提供する住民情報システムと、
運転免許証所有者の免許証番号，氏名，住所，本籍，生年月日を含む免許情報を管理する免許情報サーバと、
運転免許証を発行する免許端末と、を備える運転免許更新システムであって、
前記認証サーバは、
免許証番号，氏名，住所，本籍，生年月日，写真データを含む入力情報をネットワークを介して前記ユーザ端末から受信し、前記ネットワークを介して前記住民情報システムにアクセスし、前記入力情報に含まれる氏名，住所，本籍，生年月日を前記住民票情報と照合する認証手段と、
前記免許情報サーバにアクセスし、前記入力情報に含まれる氏名，住所，本籍を前記免許情報と照合し、いずれかが不一致の場合には、前記住民票情報の氏名，住所または本籍を取得して前記免許端末へ運転免許証の発行指示を送信する免許情報確認手段とを有する運転免許更新システム。
【請求項２】
前記免許情報サーバが管理する免許情報は、運転免許証所有者の違反歴をさらに含み、
前記認証サーバは、前記免許情報サーバにアクセスし、前記入力情報の免許証番号によって識別されるユーザについて、行政処分によって運転免許証の更新が不可能であるか否か確認する違反歴確認手段をさらに有する請求項１に記載の運転免許更新システム。
【請求項３】
前記免許情報サーバが管理する免許情報は、運転免許証の有効期限をさらに含み、
前記認証サーバは、前記免許情報サーバにアクセスし、前記入力情報の免許証番号によって識別されるユーザについて、運転免許証の更新期間内か否か確認する更新期間確認手段をさらに有する請求項１または２に記載の運転免許更新システム。
【請求項４】
前記住民票情報は、前記住民の住所，氏名，本籍の変更履歴をさらに含み、
前記免許情報確認手段は、前記入力情報に含まれる氏名，住所，本籍のいずれかが前記免許情報と不一致の場合には、前記ネットワークを介して前記住民情報システムにアクセスして前記変更履歴を参照し、前記不一致が前記住民票情報の変更に起因するものか否か確認する請求項１〜３のいずれかに記載の運転免許更新システム。
【請求項５】
前記ネットワークは、インターネットである請求項１〜４のいずれかに記載の運転免許更新システム。
【請求項６】
前記認証サーバ、前記免許情報サーバ、前記免許端末は、警察のイントラネットに接続されている請求項１〜５のいずれかに記載の運転免許更新システム。
【請求項７】
ユーザが使用するユーザ端末と、
運転免許更新処理を制御する認証サーバと、
住民の住所，氏名，本籍，生年月日を含む住民票情報を提供する住民情報システムと、
運転免許証所有者の免許証番号，氏名，住所，本籍，生年月日を含む免許情報を管理する免許情報サーバと、
運転免許証を発行する免許端末と、を備える運転免許更新システムにおいて、
前記認証サーバが、
免許証番号，氏名，住所，本籍，生年月日，写真データを含む入力情報をネットワークを介して前記ユーザ端末から受信し、前記ネットワークを介して前記住民情報システムにアクセスし、前記入力情報に含まれる氏名，住所，本籍，生年月日を前記住民票情報と照合するステップと、
前記免許情報サーバにアクセスし、前記入力情報に含まれる氏名，住所，本籍を前記免許情報と照合し、いずれかが不一致の場合には、前記住民票情報の氏名，住所または本籍を取得して前記免許端末へ運転免許証の発行指示を送信するステップとを含む運転免許更新方法。
【発明の詳細な説明】
【０００１】
【発明の属する技術分野】
本発明は、運転免許証の更新システムおよび方法に関し、特に、インターネットを介して運転免許証の更新申請を受け付け、記載事項に変更があった場合には、変更後の住民票データを運転免許証に自動的に反映する運転免許証の更新システムおよび方法に関する。
【０００２】
【従来の技術】
従来、運転免許の更新は、警察署や免許センターに行って、更新申請書および住民票（住所変更等がある場合）を提出し、本人確認と身体的検査を受けた上で交付されるが、免許証発行まで警察署や免許センターで待たされる不便があった。
【０００３】
【発明が解決しようとする課題】
これを解決する方法として「視力検査装置及び運転免許証交付システム」（特開平０３−１４９６６２）などがあったが本人の認証などの機能が備えられていなかったため、免許の不正取得のリスクがあった。
【０００４】
また、住所変更や結婚による氏名変更等（記載事項変更）には地方自治体発行の住民票が必要でその記載データを元にデータの入力を行っていた。
【０００５】
本発明の課題は、運転免許証更新手続きに必要とされる労力および時間を軽減し、利用者の利便性を向上させることができる運転免許更新システムおよび方法を提供することである。
【０００６】
【課題を解決するための手段】
そこで、本発明では、市民がインターネットを利用して自宅など警察署や免許センター以外の場所から運転免許の更新の申請ができるシステムで、住民票情報の確認とデジタル写真をもとに免許証を作成するようにした。
【０００７】
また、本発明は、インターネットを介して、免許の更新申請を受け付け、住民票情報をアクセスして住民情報の確認を行い、添付されたデジタル写真を使用して更新免許証を作成するようにした。
【０００８】
さらに、本発明は、地方自治体とインターネットで接続され、地方自治体にて記録・管理されている「住民基本台帳（住民の住所・氏名・本籍・生年月日が登録されている）」の記録を自動引用・比較し、発行する免許証に反映させるようにした。本形態では、地方自治体とインターネット接続することにより住民票の発行の手間および免許記載事項のデータ入力を省くことができる。
【０００９】
具体的には、本発明は、ユーザが使用するユーザ端末と、運転免許更新処理を制御する認証サーバと、住民の住所，氏名，本籍，生年月日を含む住民票情報を提供する住民情報システムと、運転免許証所有者の免許証番号，氏名，住所，本籍，生年月日を含む免許情報を管理する免許情報サーバと、運転免許証を発行する免許端末と、を備える運転免許更新システムであって、前記認証サーバは、免許証番号，氏名，住所，本籍，生年月日，本人の証明用写真データを含む入力情報をネットワークを介して前記ユーザ端末から受信し、前記ネットワークを介して前記住民情報システムにアクセスし、前記入力情報に含まれる氏名，住所，本籍，生年月日を前記住民票情報と照合する認証手段と、前記免許情報サーバにアクセスし、前記入力情報に含まれる氏名，住所，本籍を前記免許情報と照合し、いずれかが不一致の場合には、前記住民票情報の氏名，住所または本籍を取得して前記免許端末へ運転免許証の発行指示を送信する免許情報確認手段とを有する運転免許更新システムを含む。
【００１０】
また、上記システムの発明は、方法の発明としても成立する。また、上記発明は、コンピュータに所定の機能を実現させるプログラムまたはそのプログラムを記録した記録媒体としても成立する。
【００１１】
また、本明細書における手段は、ハードウェア、ソフトウェアまたはハードウェアおよびソフトウェアの組み合わせにより実現可能である。ハードウェアおよびソフトウェアの組み合わせによる実行は、例えば、所定のプログラムを有するコンピュータ・システムにおける実行が該当する。
【００１２】
そして、１つの手段が有する機能が２つ以上のハードウェア、ソフトウェアまたはハードウェアおよびソフトウェアの組み合わせにより実現されても、２つ以上の手段の機能が１つのハードウェア、ソフトウェアまたはハードウェアおよびソフトウェアの組み合わせにより実現されてもよい。
【００１３】
【発明の実施の形態】
以下、本発明の実施の形態について図面を参照して説明する。
【００１４】
図１は、本発明の実施の形態に係る運転免許更新システムの構成を示すブロック図であり、図２は、免許情報データベースの構成例を示す図であり、図３は、住民票情報データベースの構成例を示す図である。図１を参照すると、本発明の実施の形態に係る運転免許更新システムは、ユーザ端末１０と、認証サーバ２０と、免許情報サーバ３０と、免許端末４０と、住民情報システム５０とを含む。
【００１５】
ユーザ端末１０はパーソナルコンピュータ等の端末で、インターネット１００と接続されている。
【００１６】
より具体的には、ユーザ端末１０は、インターネット１００を介して認証サーバ２０とデータ通信を行う機能を有する。これを実現するため、ユーザ端末１０は、例えばＷＷＷブラウザを備える。
【００１７】
認証サーバ２０は、ユーザの認証や登録内容のチェックを行うサーバでインターネット１００および警察のイントラネット２００と接続されている。
【００１８】
認証サーバ２０は、インターネット１００およびイントラネット２００等のネットワークを介して、ユーザ端末１０、免許情報サーバ３０、免許端末４０、住民情報システム５０それぞれとの間でデータ通信を行い、後述するような処理を実行する。
【００１９】
免許情報サーバ３０は免許に関する個人情報を管理するサーバで、警察のイントラネット２００と接続されている。
【００２０】
免許情報サーバ３０は、図２に示されるような免許情報データベースを有している。免許情報データベースには、個々の運転免許証所有者について、免許情報（免許証番号，氏名，本籍，住所，生年月日，違反歴，有効期限等）が格納されている。免許情報サーバ３０は、このような免許情報を管理し、認証サーバ２０に対して免許情報を参照させる。
【００２１】
免許情報についてより具体的に説明する。免許情報データベースに格納されている個々の運転免許証所有者の免許情報は、運転免許の初回の発行時、あるいは前回の更新時に更新された情報である。ただし、違反歴については、違反情報が履歴として蓄積されている。
【００２２】
違反歴には、違反の日時，減点数，行政処分（停止，取り消し等），点数残高，講習受講による点数回復等の情報が含まれている。
【００２３】
免許端末４０は免許証の発行を行う端末で警察のイントラネット２００と接続されている。
【００２４】
免許端末４０は、認証サーバ２０から免許の発行情報を受信する。そして、受信した発行情報に基づいて運転免許証を発行する。免許端末４０は、例えば印刷部を備えており、受信した発行情報に含まれる記載事項（免許証番号，氏名，本籍，住所，生年月日，免許の種類，眼鏡等，証明写真のデジタルデータ）にしたがって運転免許証を印刷する。
【００２５】
住民情報システム５０は自治体のネットワークシステムで住民票情報の提供がなされるシステムである。
【００２６】
住民情報システム５０は、図３に示されるような住民票情報データベースを有している。住民票情報データベースには、個々の住民について、住民票情報（氏名，本籍，住所，生年月日，変更履歴等）が格納されている。住民情報システム５０は、このような住民票情報を管理し、認証サーバ２０に対して住民票情報を提供する。
【００２７】
住民票情報についてより具体的に説明する。住民票情報データベースに格納されている個々の住民の住民票情報は、現在の住所，氏名，本籍等を有している。また、変更履歴は、住所，氏名，本籍等の変更の履歴情報を有している。例えば、転居があった場合には、その旨および日付を記録している。また、例えば婚姻による氏の変更等を記録している。なお、住民票情報として、住民基本台帳の記録を用いる構成としてもよい。
【００２８】
（実施の形態の動作の説明）
次に、図４〜６を参照して本実施の形態の動作を説明する。図４は、ユーザ端末に表示される入力画面の構成例を示す図であり、図５および図６は、本実施の形態の認証サーバの動作を説明するフローチャートである。
【００２９】
まず、ユーザは免許の更新時期になると、ユーザ端末１０を認証サーバ２０に接続し、免許の更新を申請する。
【００３０】
具体的には、ユーザ端末１０を用いてインターネット１００を介して認証サーバ２０にアクセスする。認証サーバ２０は、ユーザ端末１０からのアクセスに応答して図４に示されるような入力画面を送信し、ユーザ端末１０に表示させる。ユーザは、ユーザ端末１０を用いて必要な情報を入力する。
【００３１】
この時の入力情報は、氏名、住所、生年月日、免許証番号および本人の写真のデジタルデータ等である（図４参照）。ユーザ端末１０は、これらの入力情報を認証サーバ２０に送信する。
【００３２】
認証サーバ２０は、これら送信された入力情報を受信する（ステップ１０１）。
【００３３】
認証サーバ２０は氏名、住所、生年月日より、住所変更等があった場合住民情報システム５０の住民票データ５１を参照し、内容一致をチェックする。
【００３４】
具体的には、認証サーバ２０の認証手段は、住民情報システム５０にアクセスし、受信した入力情報に含まれる氏名、住所、生年月日等に基づいて、住民情報システム５０の住民票情報データベースを参照する（ステップ１０２）。そして、住民票情報データベースに格納されている氏名、住所、生年月日等と照合し、その内容が一致しているか否か判断する（ステップ１０３）。
【００３５】
そして、その内容が一致している場合には次へ進み、いずれかの内容が一致していない場合には、エラーと再入力要求とを表示する画面を生成してユーザ端末１０へ送信し、情報の再入力を促す。この場合、内容が一致しない項目（例えば住所）のみを指摘し、当該項目のみの再入力を要求してもよい。
【００３６】
また、内容が一致していない場合には、住民票情報データベース内の変更履歴を参照するようにしてもよい。具体的には、変更履歴を参照して、内容の不一致（例えば入力情報の住所と住民票情報データベースの住所とが一致しない）が変更履歴に登録された届出済の理由（住所の変更等）によるものか否か確認する。確認の結果、届出済の理由による場合には、住民票情報データベース内の変更後の正しい住所を取得する。
【００３７】
次に、認証サーバ２０は免許情報サーバ３０の免許情報データ３１を参照し、内容の一致および違反歴をチェックする。
【００３８】
具体的には、認証サーバ２０の免許情報確認手段は、免許情報サーバ３０にアクセスし、入力情報に含まれる免許証番号をキーとして免許情報データベースを参照し（ステップ２０１）、入力情報（免許証番号，氏名，住所，本籍，生年月日等）と免許情報データベース内の免許情報とを照合して内容の一致を判断する（ステップ２０２）。
【００３９】
いずれかの内容が不一致の場合には、認証サーバ２０の免許情報確認手段は、不一致の原因が住民票情報データの変更によるものか否か判断する（ステップ２０３）。具体的には、例えば、入力情報に含まれる住所と、免許情報データベース内の住所とが一致しない場合には、住民情報システム５０にアクセスし、住民票情報データベースの変更履歴を参照する。そして、不一致が届出済の理由（住所の変更等）によるものか否か判断する。
【００４０】
不一致が住民票情報データの変更によるものではない場合には、認証サーバ２０の免許情報確認手段は、ユーザ端末１０に対してエラーおよびその理由（免許証番号不一致等）を表示して処理を終了する。
【００４１】
一方、不一致が住民票情報データの変更によるものである場合には、認証サーバ２０の違反歴確認手段は、次に、免許情報データベース内の違反歴を参照し、運転免許証の更新が可能か否か判断する（ステップ２０４）。そして、例えば、違反による取り消し処分のため、更新ができない場合には、認証サーバ２０の違反歴確認手段は、エラーおよびその旨をユーザ端末１０に表示して処理を終了する。
【００４２】
違反歴の確認によって更新が可能な場合には、認証サーバ２０の更新期間確認手段は、免許情報データベース内の有効期限を参照し、該当する免許証が更新期間内か否か判断する（ステップ２０５）。例えば、当該免許証の更新期間より前であれば、ユーザ端末１０にエラーおよびその旨を表示して処理を終了する。
【００４３】
一方、更新期間内である場合には、認証サーバ２０は、入力情報によって免許情報データベースを更新する（ステップ２０６）。具体的には、免許情報サーバ３０に対して更新指示を送信し、免許情報サーバ３０が更新処理を実行する。これにより、例えば、住所が変更されている場合には、変更後の住所によって免許情報データベースの住所が更新される。また、新たな有効期限が設定される。
【００４４】
認証サーバ２０は、これらのチェックにて、免許の発行が適切と判断するとユーザ指定の受け取り場所の警察署などの免許端末４０に免許の発行情報を転送する。一方、認証サーバ２０は、免許証の引渡し期間を設定し、ユーザ端末１０へ送信し通知する。
【００４５】
免許端末４０のオペレータは免許の発行情報が転送されると免許証を発行する。ユーザは、ユーザ指定の受け取り場所に行って、本人確認と写真確認ならびに身体的検査をされて、免許証を入手できる。
【００４６】
【発明の効果】
以上説明したように、利用者は、この更新システムにより、住民票を事前に入手する必要がなくなり、事前の申請により免許証が作成されるため、免許証発行のための待ち時間がなくなるという効果がある。
【図面の簡単な説明】
【図１】本発明の実施の形態に係る運転免許更新システムの構成を示すブロック図である。
【図２】免許情報データベースの構成例を示す図である。
【図３】住民票情報データベースの構成例を示す図である。
【図４】ユーザ端末に表示される入力画面の構成例を示す図である。
【図５】本実施の形態の認証サーバの動作を説明するフローチャートである。
【図６】本実施の形態の認証サーバの動作を説明するフローチャートである。
【符号の説明】
１０　ユーザ端末
２０　認証サーバ
３０　免許情報サーバ
４０　免許端末
５０　住民情報システム
１００　インターネット
２００　イントラネット
【図１】
2004013761.tif 000003
【図２】
2004013761.tif 000004
【図３】
2004013761.tif 000005
【図４】
2004013761.tif 000006
【図５】
2004013761.tif 000007
【図６】
2004013761.tif 000008